(57)【要約】      （修正有）【課題】畳まれた状態の傘を収容する傘収容袋を収納する収納部を備えた傘を提供する。【解決手段】隣接する二本の親骨の中間線６と、前記いずれか一方の親骨２との間の傘布部の表面または裏面に収納部９が形成され、前記収納部の一側辺１２は前記一方の親骨に沿って縫着されると共に、前記収納部の他側辺１３は前記中間線に沿って縫着されることを特徴とする傘収容袋を収納する収納部付傘。【選択図】図１
0003164097.tif 000002
【実用新案登録請求の範囲】
【請求項１】
隣接する二本の親骨の中間線と、前記二本の親骨のうちいずれか一方の親骨との間の傘布部の表面に収納部が形成され、
前記収納部には、前記一方の親骨に沿う方向に形成された開口が設けられ、
前記収納部の一側辺は前記一方の親骨に沿って縫着されると共に、前記収納部の他側辺は前記中間線に沿って縫着される
ことを特徴とする傘収容袋を収納する収納部付傘。
【請求項２】
隣接する二本の親骨の中間線と、前記二本の親骨のうちいずれか一方の親骨との間の傘布部の裏面に収納部が形成され、
前記収納部には、前記一方の親骨に沿う方向に形成された開口が設けられ、
前記収納部の一側辺は前記一方の親骨に沿って縫着されると共に、前記収納部の他側辺は前記中間線に沿って縫着される
ことを特徴とする傘収容袋を収納する収納部付傘。
【請求項３】
前記収納部が、前記一方の親骨側を構成する小片部と、前記中間線側を構成する大片部とを備えてなり、
前記開口が、前記小片部の他側辺部が前記大片部の一側辺部に重なった重なり部によって形成される
ことを特徴とする請求項１または２のいずれかに記載の傘収容袋を収納する収納部付傘。
【請求項４】
前記開口にファスナが取り付けられる
ことを特徴とする請求項１または２のいずれかに記載の傘収容袋を収納する収納部付傘。
【請求項５】
前記収納部の内部表面にポリウレタン樹脂膜が塗布された
ことを特徴とする請求項１〜４のいずれかに記載の傘収容袋を収納する収納部付傘。
【請求項６】
前記隣接する二本の親骨の間に形成された傘布部及び収納部の色又は柄が、他の傘布部とは異なる色又は柄であり、かつ、傘収容袋と同一の色又は柄である
ことを特徴とする請求項１〜５のいずれかに記載の傘収容袋を収納する収納部付傘。
【考案の詳細な説明】
【技術分野】
【０００１】
本考案は傘に関し、特に畳まれた状態の傘を収容する傘収容袋を収納する収納部を備えた傘に関する。
【背景技術】
【０００２】
従来より、傘には閉じた傘を収容するための傘カバーが付属されているが、傘を差して持ち歩いている間に傘カバーを紛失することも多い。このため、傘を差して歩いた後、傘カバーに収容しようとしても、傘カバーが見当たらないことが度々ある。
【考案の概要】
【考案が解決しようとする課題】
【０００３】
このため、傘を持って百貨店等の建物内に入る際には、濡れた傘を収容するために用いられる建物に備え付けのビニール袋に入れて持ち回らなければならないが、建物から出た後には当該ビニール袋はゴミとなってしまう。
本考案は傘カバー（以下、傘収容袋という。）の紛失を効果的に防ぎ、ビニール袋を使用する量が不必要に増加することを防止することを目的とする。
【課題を解決するための手段】
【０００４】
そこで、上記課題を解決するため、本考案に係る傘収容袋を収納する収納部付傘は、隣接する二本の親骨の中間線と、前記二本の親骨のうちいずれか一方の親骨との間の傘布部の表面に収納部が形成され、前記収納部には、前記一方の親骨に沿う方向に形成された開口が設けられ、前記収納部の一側辺は前記一方の親骨に沿って縫着されると共に、前記収納部の他側辺は前記中間線に沿って縫着されることを特徴とする。
【０００５】
親骨は傘の中心から放射状に組み付けられ、傘布を展張する傘を構成する骨組みであり、隣り合った二本の親骨との間に展張された傘布部は小間とも呼ばれる部分である。
【０００６】
本考案に係る傘に形成された収納部は、傘が収容可能な傘収容袋を収納できるものである。当該傘収容袋は、小さく折り畳むことができる柔らかい防水繊維で形成されていることが好ましい。
【０００７】
また、収納部を傘布部の裏面に形成することとしても好ましい。傘布部の裏面は傘を差した状態でも雨に手を濡らさずに届くので、傘を差した状態でも傘収容袋を収納部に収納しやすいという利点がある。
【０００８】
収納部が、隣接する二本の親骨の中間線と、前記隣接する二本の親骨のうちいずれか一方の親骨との間の傘布部に形成されることによって、傘を折り畳んだ際に傘布部の折り返しが邪魔されることがない。特に、収納部の他側辺が前記中間線に沿って縫着されることによって、折り畳んだ際の傘布部の折り返しを収納部の他側辺に沿って行なうことができるため傘の折り畳みをスムーズに行なうことができる。
【０００９】
また、収納部に形成された開口が一方の親骨に沿って形成されることによって、雨が収納部内に入りにくくする効果がある。
【００１０】
さらに、収納部の一側辺を一方の親骨に沿って縫着することによって、開口を引き伸ばして開いた際にも、開口の傘の径方向の幅を保ったまま開口を開くことができ、傘収容袋の出し入れを容易に行なうことができる。
【００１１】
ここで、開口を一方の親骨に近接して形成すれば、上記開口の傘の径方向の幅を保ったまま開口を開くことができる効果を顕著に得ることができると共に収納部の容量を大きく確保することができるため好ましい。
【００１２】
なお、収納部の下辺は前記一の傘布部の外縁に沿って縫着することが好ましく、これによって収納部の容量をより大きく確保することができる。
【００１３】
また、前記収納部を、前記一方の親骨側を構成する小片部と、前記中間線側を構成する大片部とを備えて形成すると共に、開口が、前記小片部の他側辺部が前記大片部の一側辺部に重なった重なり部によって形成されても好ましい。小片部が開口の蓋の役割を果たすことができ、収納部への雨滴の出入りを妨げることができるためである。
【００１４】
また、収納部を構成する小片部を一方の親骨側に形成すると共に小片部の一側辺を一方の親骨に沿って縫着することにより、開口の傘の径方向の幅を保ったまま開口を開くことができ、傘収容袋の出し入れを容易に行なうことができる。
【００１５】
さらにまた、前記開口にはファスナが取り付けられても好ましい。ファスナを取り付けることで収納部に収納した傘収容袋の落下を確実に防止することができ、また、特に男向けの傘として外観上のアクセントに用いることもできる。
【００１６】
また、収納部の内部表面にポリウレタン樹脂膜（以下、ＰＵ膜という。）を塗布しても好ましい。特に収納部が傘布部の表面に形成されている場合には、ＰＵ膜を塗布することで収納部表面から収納部内部への雨滴の染み込みを防止する効果を向上させることができ、収納部内部に収納している傘収容袋が濡れることを防止することができる。なお、ＰＵ膜に代えてポリ塩化ビニル樹脂膜（以下、ＰＶＡ膜という。）を収納部の内部表面に塗布しても好ましく、ＰＵ膜と同様に収納部内部への雨滴の染み込みを防止する効果を備えることができる。
【００１７】
ここで、ＰＵ膜又はＰＶＡ膜は収納部の内部表面全体に塗布しても良いが、特に雨滴に直接濡れる収納部の表面側を構成する部分の内部表面に塗布することが好ましい。すなわち、収納部が前記大片部と小片部とを備えてなる構成である場合には大片部と小片部の内部表面に塗布されていることが好ましい。このような構成により、特に収納部が傘布部の表面に形成されている場合には、雨滴は収納部に直接触れるため、収納部内部への雨滴の染み込みを効果的に防止することができる利点がある。また、収納部が前記大片部と小片部とを備えてなる構成である場合には大片部が収納部表面の面積の大部分を占めるので、少なくとも大片部の内部表面に塗布されていることが望ましい。
【００１８】
一方、収納部が傘布部の裏面に形成されている場合には、収納部の裏面側を構成する部分は直接雨滴に濡れることはないが、例えば傘収容袋が濡れた状態で収納されている場合に、収納部の内部表面にＰＵ膜又はＰＶＡ膜が塗布されていれば、傘収容袋から出た水が収納部から染み出すことを防止することができる利点がある。
【００１９】
前記隣接する二本の親骨の間に形成された傘布部及び収納部の色又は柄が、他の傘布部とは異なる色又は柄であり、かつ、傘収容袋と同一の色又は柄であるとしても好ましい。
【００２０】
このように形成することで、傘収容袋を収納する際に、収納部の位置がわかりやすく、また、収納部に収納された傘収容袋が透けて目立たない。
【００２１】
さらに、上記の場合には傘収容袋と、他の傘布部とで色又は柄を異なることとすることができる。したがって、降雨時に傘を差して使用しているときには傘全体に対して占める面積の大きい他の傘布部の色又は柄の印象を楽しむことができ、一方、傘を傘収容袋に入れて持ち運ぶ時には傘収容袋の色又は柄の印象を楽しむことができるため、着せ替え感を楽しむことができる。
【００２２】
なお、前記他方の親骨を一方の親骨と見立て、かつ、前記一方の親骨を他方の親骨と見立てて収納部を形成することも可能である。この場合には上記において説明した収納部と、中間線を中心に左右対称の構造を備えた収納部に形成することができる。これにより、収納部が使用者から見て中間線よりも右側に形成されていれば、傘収容袋を右手で持って収納部にいれることが便利であり、逆に、収納部が使用者から見て中間線よりも左側に形成されていれば、傘収容袋を左手で持って収納部に入れることが便利である。さらに中間線よりも右側又は左側に収納部を備えた傘を二つのバリエーションとして両方用意することで、使用者は、自分が使いやすい傘を選択することができる。また、その後によく選ばれる方のバリエーションの傘を重点的に製造することによって顧客満足度の高い製品として販売を促進することができる。
【考案の効果】
【００２３】
本考案によれば、傘収容袋を傘の収納部に収納して持ち運ぶことができるため、傘収容袋の紛失を効果的に防止することができる。これにより、建物に備え付けのビニール袋を不必要に使用する量を低減することができ、ゴミの増加を抑えることもできる。
【図面の簡単な説明】
【００２４】
【図１】本考案に係る傘１を斜め上から見た全体図である。
【図２】収納部９周辺の拡大図である。
【図３】傘収容袋１９を収納部９に収納しようとする様子を示した収納部９周辺の拡大図である。
【図４】収納部９の中央横断面図である。
【図５】傘１を折り畳んだ状態の収納部９周辺の拡大図である。
【図６】傘１を傘収容袋１９に収容した状態を示す正面図である。
【図７】傘収容袋１９の全体を示す図である。
【図８】開口２２にファスナ２３を備えた収納部２１周辺の拡大図である。
【図９】傘収容袋１１９を収納部１０９に収納しようとする様子を示した収納部１０９周辺の拡大図である。
【図１０】収納部１０９の中央横断面図である。
【考案を実施するための形態】
【実施例１】
【００２５】
以下、本考案に係る傘収容袋を収納する収納部付傘（以下、傘１とする。）の実施の形態について図面を参照しながら詳細に説明する。
【００２６】
図１には、隣接した一方の親骨２及び他方の親骨３を含んだ八本の親骨、及びこれらの親骨によって展張された傘布を備える傘１を斜め上から見た全体図である。前記傘布のうち、一方の親骨２及び他方の親骨３との間に展張されている傘布を一の傘布部４、その他の傘布を他の傘布部５とする。傘１の中心８には石突が設けられており、当該中心８から一の傘布部４の外縁７の中点を結んだ線を中間線６とする。
【００２７】
図２に示すように、一の傘布部４の表面には矩形状の収納部９が形成されている。収納部９の一側辺１２は一方の親骨２に沿って縫着され、収納部９の他側辺１３は前記中間線６に沿って縫着されている。また、実施例１において収納部９の下辺１４は一の傘布部４の外縁７に沿って縫着され、収納部９の上辺１５は中間線６から一方の親骨２に向かって縫着されている。特に他側辺１３は、中間線６よりも一方の親骨２側に僅かに寄った位置に縫着されており、収納部９が中間線６をまたがないように形成されている。
【００２８】
収納部９は、一方の親骨２側を構成する小片部１０と、中間線６側を構成する大片部１１の二つの片、及び一の傘布部４の一部によって構成されている。
【００２９】
小片部の他側辺部１６は大片部の一側辺部１７上に重ねられることによって重なり部が形成されていると共に、小片部の他側辺部１６及び大片部の一側辺部１７は一の傘布部４には縫着されていない。従って、前記重なり部は、小片部の他側辺部１６及び大片部の一側辺部１７をつまみあげて開くことができる開口１８を形成している。
【００３０】
開口１８は、傘布を伝い降りてきた雨滴が収納部９の内部に侵入することを効果的に防止するため、一方の親骨２に沿う方向に設けられており、さらに好ましくは開口１８を中心８から放射方向に沿って設ける。
【００３１】
なお、実施例１においては小片部の他側辺部１６の外縁に布体を縫着することによって補強部１６ａが設けられており、補強部１６ａを設けることによって開口１８の開閉操作を繰り返した場合にも磨耗による損傷を防止することができる。
【００３２】
図３は、収納部９に傘収容袋１９を収納する様子を示した図である。
【００３３】
傘収容袋１９は防水性の柔らかい布地によってなるため、小さく折り畳んで開口１８から収納部９内に収納することができる。
【００３４】
傘収容袋１９の収納は、収納部９の内部が見えるように小片部の他側辺部１６をつまみあげると共に、大片部の一側辺部１７を少し持ち上げてできた一の傘布部４との隙間に傘収容袋１９を差し入れることによって行なう。
【００３５】
このとき、収納部９の一側辺１２が一方の親骨２に沿って縫着されているため、小片部の他側辺部１６をつまみあげた場合にも、開口１８を、傘の径方向の幅を保ったまま開くことができ、傘収容袋１９の収納部９への出し入れを容易に行なうことができる。
【００３６】
図４は収納部９の中央横断面図を示している。
【００３７】
実施例１において小片部１０及び大片部１１の内部表面にはそれぞれＰＵ膜２０ａ、２０ｂが塗布されており、収納部９の表面から収納部９の内部への雨滴の染み込みを防止する効果を向上させることができる。これにより収納部９内に収納している傘収容袋１９が雨滴によって濡れることを防止することができる。
【００３８】
図５は、傘１を折り畳んだ状態の収納部９の周辺を拡大して示した図である。
【００３９】
傘１の一の傘布４は、中間線６に対応する部分で折れ曲がって折り畳まれる。このとき、収納部９の他側辺１３は前記中間線６に沿って縫着されているので、収納部９は、傘１を折り畳む際に中間線６での折れ曲がりを阻害することがない。なお、他側辺１３は、中間線６よりも僅かに一方の親骨２側に位置するように縫着されており、収納部９が中間線６をまたがないように形成されている。
【００４０】
折り畳まれた傘１は、傘収容袋１９に収容することによって傘１の濡れた表面を覆い隠した状態で建物内へ持って入ることができる。傘収容袋１９は、傘１を収容する際には収納部９から取り出して広げると図６に示されるような細長の袋体となる。傘１を挿入口１９ｅから挿入し、挿入口１９ｅの外面部と閉じ片１９ｆの内面部に取り付けられた面ファスナ１９ｇ、１９ｈを閉じ合わせることで傘１から傘収容袋１９が抜け落ちさせることなく持ち運ぶことができる。
【００４１】
なお、傘収容袋１９内に収容された傘１から滴り落ちる雨滴は第一の折り返し部１９ａの内部に溜まり、傘１を建物内で持ち運んでいる間に雨滴が外に漏れ出ることはない。
【００４２】
ここで、図１及び図６について説明を付け加えると、図１において一の傘布部４及び収納部９は、他の傘布部５とは異なる色で形成されており、一方、傘収容袋１９と同一の色で形成されている。そのため、傘１を広げて使用しているときには使用者は傘１の大部分を占める他の傘布部５に付された色の印象で使用することができる。一方、建物内で傘１を傘収容袋１９に収容して持ち運ぶときには図６に示すように傘収容袋１９に付された色の印象で持ち運ぶことができるため、使用者は着せ替え感を楽しむことができる。なお、このような着せ替え感を楽しむために色ではなく模様を用いても同様の効果が得られる。
【００４３】
また、傘収容袋１９を収納部９内に収納した状態で傘１を開いて使用しているときには、前述したように傘収容袋１９の色、並びに一の傘布部４及び収納部９の色が同一であるために傘収容袋１９が目立つことはなく、傘収容袋１９が傘１のイメージを阻害することはない。
【００４４】
図７は傘収容袋１９の構造を詳しく示した全体図である。傘収容袋１９は、基端から先端にかけて貫通して形成されており、傘収容袋１９は両端面が開放された筒状に形成されている。ここで、傘収容袋１９の基端は傘を挿入する挿入口１９ｅとして機能し、先端は第一の折り返し部１９ａの内部に溜まった雨滴を排出することができる水抜き口１９ｉとして機能する。
【００４５】
挿入口１９ｅの周縁の一部は先端方向に向かって切込みが形成され、当該切込み部分に折り重なるように閉じ片１９ｆが設けられている。また、挿入口１９ｅの前記切込み周辺の外面部と閉じ片１９ｆの内面部にはそれぞれ面ファスナ１９ｇ、１９ｈが形成されており、面ファスナ１９ｈを面ファスナ１９ｇに閉じ合わせることによって閉じ片１９ｆを固定することができる。
【００４６】
傘収容袋１９の先端部分は、第一の折り返し部１９ａ及び第二の折り返し部１９ｂをそれぞれ折り返し、傘収容袋１９の表面に取り付けられたボタン１９ｃと傘収容袋１９の裏面に取り付けられたボタン１９ｄとを係合させることによって水抜き口１９ｉを内側に巻き込んだ状態で固定することができる。
【００４７】
第一の折り返し部１９ａの内部に溜まった雨滴は、ボタン１９ｃとボタン１９ｄとを外し、第一の折り返し部１９ａ及び第二の折り返し部１９ｂを延ばすことによって排出することができる。
【００４８】
なお、第二の折り返し部１９ｂを設けることによって、傘１を傘収容袋１９に収容したまま先端を上方に向けてしまった場合にも、第一の折り返し部１９ａの内部に溜まった雨滴が第二の折り返し部１９ｂの内部に留まり、水抜き口１９ｉから雨滴がこぼれ落ちてこない。
【００４９】
図８には、収納部９の開口の他の例が示されており、収納部２１に形成された前記開口２２にはファスナ２３が取り付けられても好ましい。ファスナ２３を取り付けることで収納部２１に収納した傘収容袋１９の落下を確実に防止することができると共に、外観上のアクセントにすることもできる。
【実施例２】
【００５０】
次に、傘布の裏面に収納部１０９が形成された傘１０１の場合を説明する。
【００５１】
図９には、隣接した一方の親骨１０２及び他方の親骨１０３展張された傘布を備える傘１０１の一部を拡大した図を示している。また図１０には、収納部１０９が傘１０１の傘布の裏面に形成されている様子を、収納部１０９の中央横断面図で示している。一方の親骨１０２及び他方の親骨１０３との間に展張されている傘布を一の傘布部１０４、その他の傘布を他の傘布部１０５とする。実施例１の場合と同様に、傘１０１の中心から一の傘布部１０４の外縁１０７の中点を結んだ線を中間線１０６とする。
【００５２】
一の傘布部１０４の裏表面には、矩形状の収納部１０９が形成されている。収納部１０９の一側辺１１２は一方の親骨１０２に沿って縫着され、収納部１０９の他側辺１１３は前記中間線１０６に沿って縫着されている。また、実施例２において収納部１０９の下辺１１４は一の傘布部１０４の外縁１０７に沿って縫着され、収納部１０９の上辺１１５は中間線１０６から一方の親骨１０２に向かって縫着されている。特に他側辺１１３は、中間線１０６よりも一方の親骨１０２側に僅かに寄った位置に縫着されており、収納部１０９が中間線１０６をまたがないように形成されている。
【００５３】
収納部１０９は、一方の親骨１０２側を構成する小片部１１０と、中間線１０６側を構成する大片部１１１の二つの片、及び一の傘布部１０４の一部によって構成されている。
【００５４】
小片部の他側辺部１１６は大片部の一側辺部１１７に重ねられることによって重なり部が形成されていると共に、小片部の他側辺部１１６及び大片部の一側辺部１１７は一の傘布部１０４には縫着されていない。従って、前記重なり部は、小片部の他側辺部１１６及び大片部の一側辺部１１７をつまんで開くことができる開口１１８を形成している。
【００５５】
なお、実施例２においては小片部の他側辺部１１６の外縁に布体を縫着することによって補強部１１６ａが設けられており、補強部１１６ａを設けることによって開口１１８を開け閉め操作を繰り返した場合にも磨耗による損傷を防止することができる。
【００５６】
図９はまた、傘収容袋１１９を収納部１０９に収納する様子を示している。この図によれば、傘収容袋１１９は防水性の柔らかい布地によってなるため、小さく折り畳んで開口１１８から収納部１０９内に収納することができる。
【００５７】
傘収容袋１１９の収納は、収納部１０９の内部が見えるように小片部の他側辺部１１６をつまみあげると共に、大片部の一側辺部１１７を少し持ち上げてできた一の傘布部１０４との隙間に傘収容袋１１９を差し入れることによって行なう。
【００５８】
このとき、収納部１０９の一側辺１１２が一方の親骨１０２に沿って縫着されているため、小片部の他側辺部１１６をつまみあげた場合にも、開口１１８を、傘の径方向の幅を保ったまま開くことができ、傘収容袋１１９の収納部９への出し入れを容易に行なうことができる。
【００５９】
さらに、収納部１０９は一の傘布部１０４の裏表面に形成されているため、傘１０１を差した状態でも雨に手を濡らさずに傘収容袋１１９を収納部１０９に収納しやすいという利点がある。
【００６０】
折り畳んだ傘１０１は、実施例１に示した場合と同様に傘収容袋１１９に収容して持ち歩くことができる。
【００６１】
また、収納部１０９についても、実施例１と同様に開口１１８のかわりにファスナを取り付けることもできる。
【符号の説明】
【００６２】
１    傘
２    一方の親骨
３    他方の親骨
４    一の傘布部
５    他の傘布部
６    中間線
９    収納部
１０  小片部
１１  大片部
１２  一側辺
１３  他側辺
１８  開口
１９  傘収容袋
【図１】
0003164097.tif 000003
【図２】
0003164097.tif 000004
【図３】
0003164097.tif 000005
【図４】
0003164097.tif 000006
【図５】
0003164097.tif 000007
【図６】
0003164097.tif 000008
【図７】
0003164097.tif 000009
【図８】
0003164097.tif 000010
【図９】
0003164097.tif 000011
【図１０】
0003164097.tif 000012